(57)【要約】【課題】  室内側からだけの施工で取り付けることができて作業しやすく、かつ、引き抜き力によって引き寄せボルトが第１の取付け金物から抜けてしまったり、第１の取付け金物が変形したりしない頑丈な引き寄せ金物の提供。【解決手段】  梁１と柱２の面に固定する第１、第２の取付け金物９，１０と引き寄せボルト１１及び引きナット１２を備える。第１の取付け金物９は、上部材１３と下部材１４及び止めナット１５を有する。上部材１３と下部材１４は組合せて直方体部材１６を構成する。直方体部材１６に上下方向に貫通して貫通孔１７と固定用ネジ１８の挿通孔１９を形成する。直方体部材１６の内部に止めナット１５が位置決めされている。第１の取付け金物９を梁１の下面に固定し、貫通孔１７から止めナット１５に引き寄せボルト１１の上端部を螺合して取り付け、引き寄せボルト１１の下部を第２の取付け金物１０に係合させ、緊結する。【選択図】          図３
2006322275.tif 000002
【特許請求の範囲】
【請求項１】
木造住宅において直交する第１の構造材と第２の構造材を緊結するための引き寄せ金物であって、第１の構造材へ固定する第１の取り付け金物と、第２の構造材ヘ固定する第２の取り付け金物およびこれらを結合して緊締する引き寄せボルトと引きナットとからなり、
第１の取り付け金物は、上部材と下部材及び止めナットを有し、
上部材と下部材は上部材に下部材を突き当てて組み合わせることにより直方体部材を構成するものであり、直方体部材に上下方向の軸線に沿って貫通孔とその周辺に固定用ネジを挿通するネジ挿通孔を形成してあり、
止めナットは直方体部材の内部にあって前記貫通孔に雌ネジ孔の軸線をあわせて位置決めされており、
引き寄せボルトは上部と下部に雄ネジを形成してあり、
引き寄せボルトの下部に引きナットを螺合して第２の取り付け金物に係合させると共に、引き寄せボルトの上部を、前記直方体部材の下方から貫通孔に挿し込んで止めナットに螺合させ、引き寄せボルト下部の引きナットを緊締することにより第１の取り付け金物と第２の取り付け金物間を緊結することを特徴とした引き寄せ金物。
【請求項２】
第１の取り付け金物における上部材は、前記直方体部材の上面壁と左端壁及び右端壁となる部分を一体に有し、下部材は前記直方体部材の底面壁と前壁及び後壁となる部分を一体に有していることを特徴とした請求項１に記載の引き寄せ金物。
【請求項３】
止めナットは戻り止め付きナットであることを特徴とした請求項１または２に記載の引き寄せ金物。
【請求項４】
引き寄せボルトは上端にさらに木ネジ部が形成されており、上端部を止めナットに螺合したとき、木ネジ部が直方体部材の貫通孔から上方に突出して第１の構造材にねじ込まれることを特徴とした請求項１又は２に記載の引き寄せ金物。
【請求項５】
止めナットは角形頭部とナット部を備え、これらに雌ネジ孔が貫通して形成されており、角形頭部が直方体部材の内部で前記の貫通孔と雌ネジ孔の軸線をあわせて位置決めされると共に、ナット部を貫通孔から下方へ突出させてあることを特徴とした請求項１〜４のいずれか一つに記載の引き寄せ金物。
【請求項６】
直方体部材の上面に仮止め用の接着層が形成されていることを特徴とした請求項１〜５のいずれか一つに記載の引き寄せ金物。
【発明の詳細な説明】
【技術分野】
【０００１】
本発明は、木造住宅において、主として柱と横架材を緊結する引き寄せ金物に関する。
【背景技術】
【０００２】
木造住宅、特に木造軸組み住宅では、柱と横架材のように直交して結合される第１の構造材と第２の構造材との結合部に引き寄せ金物やかど金物など、多くの補強金物を用いて耐震性を向上させている。しかし、このような金物が多く用いられるようになったのは、住宅の耐震性に関心が高まった最近のことであり、また、ほとんどが新築の際に用いることを前提とした金物である。
一方、既存の木造住宅では、補強金物を用いて耐震性を向上させる必要のあるものも多い。このような住宅の耐震補強にはホールダウン金物や羽子板金物のような引き寄せ金物を用いて柱と横架材を緊締することが有効である。
【発明の開示】
【発明が解決しようとする課題】
【０００３】
しかし、既存住宅の耐震補強は、居住中であることあって、できるだけ短期間に施工でき、且つ、低コストであることが望ましい。このため、建物の外壁を壊すなどの施工はせず、図１のように、室内側から内壁材を取り外して梁など横架材（１）と柱（２）の結合個所を露出させ、必要な施工をすることも多い。しかし、内壁を外しただけの状況で施工すると、天井材（３）が邪魔になって、施工は、外壁（４）との間のわずかな隙間（間柱（５）の幅寸法）から金物（６）や工具（７）を差し入れて行なわなければならない。
【０００４】
この作業は、作業個所を直視して行うのが困難なため、ほとんど盲作業に近いものとなる上、作業空間が狭く施工は困難を極める。特に柱に金物を固定するときのように、工具を横方向から操作する必要のあるときは片手の作業になってしまう（図２）。また、従来の引き寄せ金物や羽子板ボルトは、縦・横いずれか一方の構造材に貫通孔を設けてそこに引き寄せボルトを貫通させ、この引き寄せボルトの先端を突出側で構造材に固定するなどの作業が必要である。このような作業は、室内側からだけでは完了できない。結局、２階の床板を取り除くなどの作業が必要になる。
【０００５】
一方、引き寄せ金物には、引き寄せボルトの強い引き寄せ力でもボルトとの螺合部が破壊されてしまわないように十分な螺合寸法と、強い引き寄せ力でも変形を起こさない強度が必要である。
この発明は、補強金物として重要な引き寄せ金物について、室内側からだけの施工で取り付けることができ、且つ、作業がしやすく、また、ボルトが金物から抜けてしまったり、金物が変形したりしない、大きな引き抜き力に耐える引き寄せ金物の提供を課題とする。
【課題を解決するための手段】
【０００６】
木造住宅において直交する第１の構造材と第２の構造材を緊結するための引き寄せ金物であって、第１の構造材へ固定する第１の取付け金物と第２の構造材ヘ固定する第２の取り付け金物間を、これらに結合した引き寄せボルトで緊締する。
第１の構造材（例えば、梁，横架材）に取り付ける第１の取付け金物は、第２の構造材（例えば、柱）に対する固定部分を有しないものとし、下方から上方への作業だけで固定できるようにする。第１の取付け金物は上部材と下部材で構成し、上部材に下部材を突き当てて組み合わせる。組み合わせると、第１の取付け金物と第２の取付け金物は外形が厚みのある直方体部材を構成する。直方体構造は、引き寄せボルトの強い引き寄せ力による撓みを防止できる剛性を備えると共に直方体が有する厚みにより、引き寄せボルトと第１の取付け金物間に十分な螺合長さを設定することができる。これにより、第１の取り付け金物は、強い引き抜き力に耐えることができる。
引き寄せボルトの下部は第２の構造材に固定する第２の取付け金物に結合し、引きナットで緊締する。
【発明の効果】
【０００７】
外壁を取り外すことなく、屋内側から施工できるので、天候に左右されず、短期間に施工を完了できる。
第１の構造材に固定する第１の取付け金物は第２の構造材への取り付け部を有しないから、狭い空間で第１の構造材の下面に取付けるときでも、固定しやすい。このため，施工は内壁材を取り外す程度の小規模の解体ですみ、工事費を抑制することができる。
第１の取付け金物は直方体部材を備えるので、その剛性により、強い引き寄せ力によっても取付け金物が湾曲するなどの変形が生じない。また、直方体の厚みにより、十分な螺合寸法を持つから、強い引き寄せ力によっても引き寄せボルトが抜けてしまうことがない。
【発明を実施するための最良の形態】
【０００８】
第１の構造材に固定する第１の取付け金物と、第２の構造材に固定する第２の取付け金物及びこれらを結合して緊締する引き寄せボルトと引きナットで構成する。
第１の取付け金物は、上部材と下部材及び止めナットで構成する。
上部材と下部材は、上部材に下部材を突き当てて組み合わせると直方体部材となる。直方体部材に上下方向の貫通孔とその周辺に固定用のネジを挿通するネジ挿通孔を形成しておく。直方体の内部に貫通孔の軸線にネジ孔を合わせて止めナットを位置決めしておく。
第１の構造材に第１の取付け金物を固定し、第２の構造材に第２の取付け金物を固定する。第２の取付け金物の係合部に下方から挿し込んだ引き寄せボルトの上部を直方体部材の下方から貫通孔に挿し込んで止めナットに螺合し、引き寄せボルトを直方体部材に取り付ける。引き寄せボルトの下部に引きナットを螺合してこれを第２の取付け金物に係合し、ついで、引きナットを緊締し、第１の取付け金物と第２の取付け金物間を引き寄せボルトにより緊結する。
【実施例１】
【０００９】
図３（イ）は、木造軸組み工法住宅において、梁１（第１の構造材）と柱２（第２の構造材）が結合される個所であり、本発明による引き寄せ金物８により緊結されている。
引き寄せ金物８は、梁１の下面に固定した第１の取付け金物９と柱２の側面に固定した第２の取付け金物１０及びこれらを結合した引き寄せボルト１１と引きナット１２を備える。
【００１０】
第１の取付け金物９は、図４のように、上部材１３と下部材１４及び止めナット１５を有している。上部材１３と下部材１４は、上部材１３に対して下部材の上辺を突き当てて組み合わせるもので、組み合わせると直方体部材１６となる（図５）。直方体部材１６には上下方向の軸線に沿って貫通孔１７とその周辺に固定用ネジ１８（図６イ）を挿通するためのネジ挿通孔１９が貫通して形成されている。貫通孔１７は直方体部材１６の略中央を貫通している。符合２０は接着シートであり、接着層を形成する。
【００１１】
この実施例において、第１の取付け金物９における上部材１３は、前記直方体部材１６の上面壁２１と左端壁２２及び右端壁２３となる部分を一体に有し、下部材１４は前記直方体部材１６の底面壁２４と前壁２５及び後壁２６となる部分を一体に有している。
上面壁２１には、長手方向の両側に２個ずつの突部２７が形成され、これに対応して下部材１４における前後の壁２５，２６の上辺には、凹部２８が形成されている。これらの凹凸構造は上部材１３と下部材１４との位置合せのためと直方体部材１６を変形し難くするためである。なお、この嵌合を多少きつめにすると、一旦嵌合させた上部材１３と下部材１４は簡単に外れてしまうことがなく、扱いやすい。
上部材１３の上面壁２１の内面側には、中央の貫通孔１７の両側に止めナット１５の側面に係合する回り止め爪４２が形成されている（図６イ）。
【００１２】
止めナット１５はこの実施例において、戻り止め付きナットであって、雌ネジ孔２９の上側周囲に合成樹脂リング３０が装着されている（図６ロ）。止めナット１５は、上部材１３に設けた上貫通孔３１と下貫通孔３２の間に、これらにより形成される貫通孔１７の雌ネジ孔２９の軸線をあわせて配置され、上部材１３の内面から垂下されている回り止め爪４２に係合して位置決めされる。
【００１３】
引き寄せボルト１１は、この実施例において、両端に雄ねじ部３３，３４を有し、上端側雄ねじ部３３は第１取付け金物９内の止めナット１５に螺合し、下端側雄ねじ部３４には引きナット１２が螺合する。
第２の取付け金物１０は、柱２に固定される固定部３５（図３イ）と円筒状に屈曲させた係合部３６を一体に備え、係合部３６には引き寄せボルト１１が、上下方向い貫通することができる。この構造はホールダウン用金物の柱側部材に類似する。なお、図３ロにおいて、符合３７はワッシャであり、引き寄せボルト１１に貫通させ、引きナット１２と組み合わせて用いる。
【００１４】
引き寄せ金物８は、次のように取付けられる（図７イ〜ニ）。
第１の取付け金物９の上部材１３と下部材１４を、上部材１３に下部材１４を突き当てて組み合わせる。その際、内部に止めナット１５を位置決めして組み込んでおく。直方体部材１６の下方から下貫通孔３２に引き寄せボルト１１の上端側雄ねじ部３３を挿し込んで内部の止めナット１５に螺合させる。この螺合は、第１の取付け金物９が落下しない程度に軽く螺合させておく。
【００１５】
直方体部材１６上面の接着シート２０の剥離紙を取り去り、柱２に取り付けることになる第２の取付け金物１０との位置関係を見ながら引き寄せボルト１１を略垂直に保持し、補強工事のために内壁を取り除いた間隙から、第１の取付け金物９を差し上げる。そして、第１の取付け金物９を前記の接着シート２０で梁１の下面に接着する。これは、引き寄せボルト１１が略垂直であるかを見極めながら行うだけなので、比較簡単に行える。
接着により仮固定されている第１の取付け金物９から引き寄せボルト１１を一旦、抜き取り、第１の取付け金物９を梁の下面に残す（図７ロ）。
【００１６】
ラグスクリューのような固定用ネジ１８を第１の取付け金物９のネジ挿通孔１９に挿し込み、これをロングビット３８を装着した工具７でねじ込む(図７ハ）。これにより、第１の取付け金物９は梁１の下面に固定される。この作業は、狭い空間に引き寄せボルト１１や第２の取付け金物１０がないので視界が良く、また、工具７の邪魔になるものがなく、さらに、固定用ネジ１８を下方から上方へねじ込むだけで、柱２側への固定作業はないから簡単に行える。また、ロングビット３８を利用すれば、内壁と外壁間の狭い空隙からでも作業個所を直視し易く、しかも、それぞれの固定用ネジ１８は、直方体部材１６の挿通ネジ孔１９によって位置が定まっているから正確に作業を行える（図８）。
【００１７】
再度、引き寄せボルト１１の先端部を、本固定されている第１の取付け金物９の止めナット１５へ確実ににねじ込む。前記引き寄せボルト１１のねじ込みは充分に行い、引き寄せボルト１１の上端側雄ネジ部３３が上部材１３の上貫通孔３１に到達するようにする（図７ニ）。これにより、上端側雄ねじ部３３は、止めナット１５と完全に螺合する。そして、止めナット１５は戻り止め付きであるから、振動などで引き寄せボルト１１と第１の取付け金物９との螺合状態が緩んでしまうことがない。
ついで引き寄せボルト１１の下端から第２の取付け金物１０をその係合部３６（図３）に引き寄せボルト１１を差し込むようにして組み合わせ、第２の取付け金物１０を柱２の面に接触させて摺り上げながら位置決めする。
【００１８】
ついで、この第２の取付け金物１０をラグスクリューなどで柱２に固定する。引き寄せボルト１１の下端側雄ネジ部３４にワッシャ３７を通し、さらに引きナット１２を螺合して、引き寄せボルト１１を第２取付け金物１０の係合部３６に係合する。第２の取付け金物１０を柱２へ固定するとき、引き寄せボルト１１の上端が振れることがあるが、引寄せボルト１１の上端は梁１とは結合していないので、多少の振れは許容され、作業を行い易い。そして、引きナット１２を緊締し、第１の取付け金物９と第２の取付け金物１０間を緊結する。引き寄せボルト１１を通じて強い引き寄せ力が第１取付け金物９に作用しても直方体構造であるために、平板に比べて断面二次モーメントが大きく、第１取付け金物９に変形は生じない。
【実施例２】
【００１９】
図９,１０は、第２の実施例であり、前記第１の実施例と同じ部材や個所には同じ符合を用い、説明を省略する。第２の実施例が第１の実施例に対して特徴的なのは、第１の取付け金物９の上部材１３と止めナット１５及び引き寄せボルト１１の上端部の構造である。
上部材１３は平板状であって（図９イ）、左右の端壁を有していない。このため、下部材１４と組み合わせると、両端が開口した直方体部材１６を構成する（図９ロ）。また、止めナット１５は、角形頭部３９とナット部４０とからなり、雌ネジ孔２９が貫通している。
【００２０】
この止めナット１５は、その雌ネジ孔２９の軸線を直方体部材１６の貫通孔１７の軸線に合せて直方体部材１６の内部に配置される。このとき、角形頭部３９が下部材１４の前後壁２５,２６に接触して回転止めされ、また、ナット部４０が下部材１４に設けた下貫通孔３２から下方へ突出する。
引き寄せボルト１１は上端側雄ねじ部３３の上端にさらに、木ネジ４１が突出して形成されている（図１０ロ）。木ネジは先が尖り、梁１の下面に押し付けて回転させると木材に食い込む。
【００２１】
他の構成は、第１の実施例の場合と格別に異なるところはない。また、取り付けの手順も略同じである。しかし、第１の取付け金物９を梁１の下面に固定用ネジ１８で本固定したのち、引き寄せボルト１１を第１取り付け金物９に螺合するときは、引き寄せボルト１１の上端部を直方体部材１６の下面から下方へ突出している止めナット１５のナット部４０に螺合させ、引き寄せボルト１１の上端を上部材１３の上貫通孔３１に到達させる。これにより、前記上端側雄ネジ部３３から上方に突出した木ネジ４１は梁１の下面にねじ込まれる。木ネジ４１が梁１にねじ込まれると引き寄せボルト１１の上端は固定され、振れることができないので、第１の取付け金物９へ引き寄せボルト１１の上端を固定した後に第２の取付け金物１０を柱２へ固定するときはある程度正確に位置決めして固定するか第２の取付け金物１０を柱２へ固定してから引き寄せボルト１１の最終的なねじ込みを行う必要がある。
【００２２】
ナット部４０を有する止めナット１５と引き寄せボルト１１の下端側雄ねじ部３４との螺合寸法は長く、より強い引寄せ力に対抗することができる。また、木ネジ４１のねじ込みにより、振動などによって引き寄せボルト１１と第１の取付け金物９との螺合が緩んでしまうのを防止することができ、長期間に渡り引き寄せボルト１１の緊締状態を維持することができる。
さらに、第１の取付け金物９の直方体部材１６は、両端が開放された構造であるが、引き寄せ力による変形を防止する上では十分な剛性を発揮する。
【００２３】
以上は実施例である。第１取付け金物９の直方体部材１６は、断面半円形の立体形としても良い。また、実施例では、天井裏などの狭い個所で第１の構造材（梁)と第２の構造材（柱）とが接合する個所での取付けを説明し、この発明がこのような個所での引寄せ補強に適したものであること強調したが、この発明の引き寄せ金物８は、一般に、引寄せボルト１１を一方の構造材に貫通させて引き寄せることが困難な結合個所に利用できる。
第１の取付け金物９における直方体部材１６の上面に設けた接着シートは２０は、設けない場合もある。
【図面の簡単な説明】
【００２４】
【図１】従来の取付け状態を説明するための図（縦方向）。
【図２】従来の取付け状態を説明するための図（横方向）。
【図３】イは、取付け状態を示す正面図、ロは、引寄せボルトの正面図（第１の実施例）。
【図４】第１の取付け金物の分解斜視図（第１の実施例）。
【図５】組付けた状態で示す斜視図。
【図６】イは、引き寄せ金物の全体を分解して示す正面図、ロは、止めナットの正面図（一部断面図）。
【図７】イ〜ニは、取付け手順を説明するための図。
【図８】第１の取付け金物の取り付け状態を説明するための図。
【図９】第１の取付け金物の分解斜視図（第２の実施例）。
【図１０】イは、取付け状態を示す正面図、ロは、引寄せボルトの正面図（第２の実施例）。
【符号の説明】
【００２５】
１  梁（第１の構造材）
２  柱（第２の構造材）
３  天井材
４  外壁
５  間柱
６  金物
７  工具
８  引き寄せ金物
９  第１の取付け金物
１０  第２の取り付け金物
【００２６】
１１  引き寄せボルト
１２  引きナット
１３  上部材
１４  下部材
１５  止めナット
１６  直方体部材
１７  貫通孔
１８  固定用ネジ
１９  ネジ挿通孔
２０  接着シート
【００２７】
２１  上面壁
２２  左端壁
２３  右端壁
２４  底面壁
２５  前壁
２６  後壁
２７  突部
２８  凹部
２９  雌ネジ孔
３０  合成樹脂リング
【００２８】
３１  上貫通孔
３２  下貫通孔
３３  上端側雄ねじ部
３４  下端側雄ねじ部
３５  固定部
３６  係合部
３７  ワッシャ
３８  ロングビット
３９  角形頭部
４０  ナット部
４１  木ネジ
４２  回り止め爪
【図１】
2006322275.tif 000003
【図２】
2006322275.tif 000004
【図３】
2006322275.tif 000005
【図４】
2006322275.tif 000006
【図５】
2006322275.tif 000007
【図６】
2006322275.tif 000008
【図７】
2006322275.tif 000009
【図８】
2006322275.tif 000010
【図９】
2006322275.tif 000011
【図１０】
2006322275.tif 000012